(57)【要約】【課題】プロペラタイプの換気扇から薄型レンジフードにリフォームする際に、レンジフードの吹出口と化粧パネルの連絡口とをダクトで連結させる場合、連結口の位置が固定されており吹出口と一致しない場合でも、ダクトの接続を容易にできる換気用部材を提供すること。【解決手段】排気用アダプタ７は、化粧パネル５に対して取り付け向きを変えて着脱可能としたという構成にしたことにより、排気用アダプタ７は、化粧パネル５に対して取り付け向きを変えて着脱するので、レンジフードの吹出口と化粧パネルの連絡口とをダクトで連結させる場合、連結口の位置が固定されており吹出口と一致しない場合でも、ダクトの接続を容易にすることができる換気用部材を得られる。【選択図】図１
2013100953.tif 000002
【特許請求の範囲】
【請求項１】
換気扇の吹出口との連絡用の角穴が開いた化粧パネルと、ガラリとが一体となった排気用アダプタを構成し、前記化粧パネルは、前記角穴をパネル中心から上部の左右他方寄りに設け、前記換気扇の取付開口部に対して向きを代えて取り付けれるとともに、前記排気用アダプタは、前記化粧パネルに対して取り付け向きを変えて着脱可能としたことを特徴とした換気用部材。
【請求項２】
排気用アダプタは、化粧パネルに対して水平方向にずらして取り付けれることを特徴とした請求項１に記載の換気用部材。
【発明の詳細な説明】
【技術分野】
【０００１】
本発明は、リフォーム時に換気扇の吹出口と建物の排気用開口部とをダクトで連結させる場合に使用する換気用部材に関するものである。
【背景技術】
【０００２】
プロペラタイプの換気扇から薄型レンジフードにリフォームする際、換気扇の取付開口部を閉口するため、換気扇の取付開口部にレンジフードの吹出口とのダクト接続用の連絡口の開いた化粧パネルを取付けるのが一般的である。又、風雨や鳥等の侵入を防ぐため連絡口にガラリが付せられたものが多い。
【０００３】
実際、リフォームする際には、それぞれの現場によって換気扇の取付開口部の位置が異なるため、レンジフードの吹出口とダクト接続するためには、レンジフードの吹出口の位置に合わせて換気扇の取付開口部に取り付ける化粧パネルのダクト接続用の連絡口を適切な位置に設定する必要がある。一般的にリフォーム性に優れた薄型レンジフードの場合、省スペース性を考慮し、排気ファンは回転軸が垂直に向く方向に納められているため、吹出口位置が左右どちらか側にずれている。そのため、換気扇の取付開口部の位置によっては取り付けが困難な場合がある。例えば、フード中心から左側に排気口位置がずれたレンジフードを背面排気施工する場合、ダクト接続用の連絡口が右寄りに設けられた化粧パネルを用いた方がダクトの曲がりをより小さくできるため施工に有利である（図２）。
【０００４】
しかし、図５に示すように、この換気用部材を左排気施工に用いた場合、薄型レンジフード２の吹出口３と化粧パネル５に取付けられた排気用アダプタ７が近すぎ、施工が困難になる場合がある。
【０００５】
また、この種の換気用部材は、上記課題を解決するために、換気扇の取付口を前方から閉口する化粧パネルに支持される多翼ファン式の換気扇ユニットと調理器具の上方に設置されて発生する廃ガスを捕獲するフード体と、前記換気扇の吸気口とフード体の排出口とを連絡する伸縮性を具備した送風路を備えたものが知られている（例えば、特許文献１参照）。
【先行技術文献】
【特許文献】
【０００６】
【特許文献１】特開平１１−３３７１４１号公報
【発明の概要】
【発明が解決しようとする課題】
【０００７】
このような従来の背景技術においては、プロペラタイプの換気扇から薄型レンジフードにリフォームする際に、換気扇の吹出口と換気扇取付開口部とをダクトで連結させる場合、換気扇取付開口部に取付ける化粧パネルの連結口の位置が固定されており、排気方向によっては、換気扇取付開口部に取付ける化粧パネルの連結口の位置と換気扇の吹出口と一致しない場合があり、ダクトの接続が困難な場合があった、という課題を有していた。
【０００８】
また特許文献１によれば、換気扇取付開口部の位置に対応し換気扇ユニットの位置を変更できるが、換気扇ユニットと廃ガスを捕獲するフード体とが分離された構造であるため、機構が複雑となる。
【０００９】
そこで本発明は、上記従来の課題を解決するものであり、プロペラタイプの換気扇から薄型レンジフードにリフォームする際に、レンジフードの吹出口と換気扇取付開口部とをダクトで連結させる場合、換気扇取付開口部とレンジフードの吹出口とが一致しない場合でも、より簡単な方法でダクトの接続を容易にできる換気用部材を提供することを目的とする。
【課題を解決するための手段】
【００１０】
そして、この目的を達成するために、請求項１記載の本発明の換気用部材は、レンジフードの吹出口との連絡用の角穴が開いた化粧パネルと、ガラリと一体となった排気用アダプタから構成され、前記化粧パネルは、前記角穴をパネル中心から上部の左右他方寄りに設け、換気扇の取付開口部に対し向きを代えて取り付けれるとともに、前記排気用アダプタは、前記化粧パネルに対して取り付け向きを変えて着脱可能としたことを特徴としたものである。
【００１１】
請求項２記載の本発明は、請求項１に記載の換気用部材において、前記排気用アダプタは前記化粧パネルに対して水平方向にずらして取り付けれることを特徴としたものである。
【発明の効果】
【００１２】
本発明によれば、レンジフードの吹出口との連絡用の角穴が開いた化粧パネルと、ガラリとが一体となった排気用アダプタを構成し、前記化粧パネルは、前記角穴をパネル中心から上部の左右他方寄りに設け、前記換気扇の取付開口部に対して向きを代えて取り付けれるとともに、前記排気用アダプタは、前記化粧パネルに対して取り付け向きを変えて着脱可能としたという構成にしたことにより、排気用アダプタは、化粧パネルに対して取り付け向きを代えて着脱することが可能となるのでプロペラタイプの換気扇から薄型レンジフードにリフォームする際に、レンジフードの吹出口と化粧パネルの連絡口とをダクトで連結させる場合、換気扇取付開口部と換気扇の吹出口とが一致しない場合でも、ダクトの接続を容易にすることができる、という効果を得ることができる。
【図面の簡単な説明】
【００１３】
【図１】本発明の実施の形態１のレンジフードの換気用部材の設置状態を示す分解構成図
【図２】同レンジフードの背面排気施工時の設置状態を示す正面図
【図３】同レンジフードの左排気施工時の設置状態を示す斜視図
【図４】本発明の実施の形態２のレンジフードの換気用部材の設置状態を示す分解構成図
【図５】従来のレンジフードの左排気施工時の設置状態を示す斜視図
【発明を実施するための形態】
【００１４】
本発明の請求項１記載の換気用部材は、レンジフードの吹出口との連絡用の角穴が開いた化粧パネルと、ガラリとが一体となった排気用アダプタを構成し、前記化粧パネルは、前記角穴をパネル中心から上部の左右他方寄りに設け、前記換気扇の取付開口部に対して向きを代えて取り付けれるとともに、前記排気用アダプタは、前記化粧パネルに対して取り付け向きを変えて着脱可能とした、という構成を有する。これにより、排気用アダプタは、化粧パネルに対して取り付け向きを変えて着脱することとなるので、プロペラタイプの換気扇から薄型レンジフードにリフォームする際に、レンジフードの吹出口と化粧パネルの連絡口とをダクトで連結させる場合、換気扇取付開口部と換気扇の吹出口とが一致しない場合でも、ダクトの接続を容易にすることができる、という効果を奏する。
【００１５】
また、排気用アダプタは、化粧パネルに対して水平方向にずらして取り付けれる、という構成にしてもよい。これにより、排気用アダプタは、化粧パネルに対して水平方向にずらして取り付けれることとなるので、プロペラタイプの換気扇から薄型レンジフードにリフォームする際に、レンジフードの吹出口と化粧パネルの連絡口とをダクトで連結させる場合、換気扇取付開口部と換気扇の吹出口とが一致しない場合でも、ダクトの接続を水平方向にずらすだけでダクトの接続を容易にすることができる、という効果を奏する。
【００１６】
以下、本発明の実施の形態について図面を参照しながら説明する。
【００１７】
（実施の形態１）
図１は、本実施例の換気用部材の設置状態を示す構成図、図２は本実施例の背面排気施工時の設置状態を示す構成図、図３は本実施例の左排気施工時の設置状態を示す斜視図である。
【００１８】
図１に示すように、本実施例の換気用部材は、リフォームする際、プロペラタイプの換気扇の取付開口部１に取り付ける薄型レンジフード２の上部に設けている吹出口３との連絡用の角穴４が開いた化粧パネル５と、ガラリ６が一体となった排気用アダプタ７から構成される。化粧パネル５に開いたレンジフードの吹出口３との連絡用の角穴４は、化粧パネル５の面に対して上部の中心から左右のどちらか一方寄りに設けられる。例えば、図２に示すように、吹出口３位置が左側にずれたタイプの薄型レンジフード２を背面排気する場合、化粧パネル５は、連絡用の角穴４が右側になるようにプロペラタイプの図１に示すように換気扇の取付開口部１に対して取り付ける。排気用アダプタ７は、化粧パネル５の連絡用の角穴４に対して、ガラリ６が薄型レンジフード２の上面と水平方向かつ下方になる向きに取り付け、薄型レンジフード２の吹出口３とダクト８で接続する。
【００１９】
このような構成によれば、レンジフードの排気口と化粧パネルの角穴が近くなりすぎないため、ダクト施工を容易にすることができ、またダクトの曲がりを抑えることができるため、排気時に係る圧力損失を抑えることができる。
【００２０】
また、図３に示すように、排気口位置が左側にずれたタイプの薄型レンジフード２を左面排気する場合、化粧パネル５は、連絡用の角穴４が左側になる向きにプロペラタイプの換気扇の取付開口部１に対して取り付ける。排気用アダプタ７は、化粧パネル５の連絡用の角穴４に対して、ガラリ６が水平方向になる向きに取り付ける。このような構成によれば、レンジフードの排気口と化粧パネルの角穴が近くなりすぎないため、ダクト施工を容易にすることができ、またダクトの曲がりを抑えることができるため、排気時に係る圧力損失を抑えることができる。なお、他にも右側にレンジフードの吹出口位置がずれたレンジフードを右排気施工する場合等、上記構成によりそれぞれの現場に合わせた化粧パネルの向きに施工することができるため同様の効果が得られる。
【００２１】
（実施の形態２）
図４において、図１、２、および図３と同様の構成要素については同一の符号を付し、その詳細な説明は省略する。
【００２２】
図４は、本実施例の換気用部材の設置状態を示し、化粧パネルの連絡用の角穴の周囲に複数個の排気用アダプタ固定用ねじ穴９を設け、排気用アダプタは化粧パネルに対して水平方向にずらして取り付けられる。
【００２３】
上記構成において、排気用アダプタ位置の調整が可能となり、ダクト接続をし易くすることができる。
【産業上の利用可能性】
【００２４】
本発明にかかる換気用部材は、プロペラタイプの換気扇から薄型レンジフードにリフォームする際に有用である。
【符号の説明】
【００２５】
１  換気扇の取付開口部
２  薄型レンジフード
３  吹出口
４  連絡用の角穴
５  化粧パネル
６  ガラリ
７  排気用アダプタ
８  ダクト
９  排気用アダプタ固定用ねじ穴
【図１】
2013100953.tif 000003
【図２】
2013100953.tif 000004
【図３】
2013100953.tif 000005
【図４】
2013100953.tif 000006
【図５】
2013100953.tif 000007